(57)【要約】      （修正有）【課題】玩具自体が走行し一定距離を走行した後、磁力の作用で起立し同時に変形するものでその動きと形状の変化に意外性のある走行起立玩具を提供する。【解決手段】磁石２８を備え底面に対して起伏自在な吸着部２０を回動可能に取り付けた脚部１０と、脚部にバネ４０によって回動可能に取り付けた胴体部４０と、胴体部の側部に取り付けた腕部６０と、胴体部の上端に取り付けた頭部８０と、胴体部あるいは頭部に取り付けた床面を走行させるための動力機構９１を有する走行手段９０とからなる。  【選択図】図１
0003198977.tif 000002
【実用新案登録請求の範囲】
【請求項１】
磁石を備え床面に対して起伏自在な吸着部と、前記吸着部を回動可能に取り付けた脚部と、前記脚部にバネによって回動可能に取り付けた胴体部と、前記胴体部の側部に取り付けた腕部と、前記胴体部の上端に取り付けた頭部と、前記胴体部あるいは頭部に取り付けた床面を走行させるための走行手段とからなる走行起立玩具。  
【請求項２】
前記腕部を胴体部の側部にバネによって回動可能に取り付け、前記頭部を胴体部の上端にバネによって回動可能に取り付け、前記走行手段を頭部に取り付けると共に、前記走行手段に動力機構を取り付けたことを特徴とする請求項１記載の走行起立玩具。
【考案の詳細な説明】
【技術分野】
【０００１】
本考案は、磁力の作用により変形する玩具であり、特に一定距離を走行した後に起立して形態が変形する走行起立玩具に関する。
【背景技術】
【０００２】
従来より、例えば特許文献１に示すような、磁力の作用により変形する玩具が提案されていた。
【先行技術文献】
【特許文献】
【０００３】
【特許文献１】実公平６−１６０号公報
【０００４】
この玩具は、永久磁石が設けられた人形と磁性体が設けられたハウス本体とを備えていて、人形が模擬ハウスを訪問した際に人形の進行位置に応じてハウス本体が所定の動作をするようにしたものである。
【考案の概要】
【考案が解決しようとする課題】
【０００５】
前記特許文献１記載の考案において、永久磁石が設けられた人形は自力で走行するものでなく人が移動させるものであり、また磁力の作用によってハウス本体が変化するものであり人形自体が変形するものでないためスピード感がなく面白みに欠けていた。
【０００６】
本考案は、玩具自体が走行し一定距離を走行した後、磁力の作用で起立し同時に変形するものであり、その動きと形状の変化に意外性と面白さがある玩具を提供することを目的とする。
【課題を解決するための手段】
【０００７】
請求項１に記載の考案は、磁石を備え床面に対して起伏自在な吸着部と、前記吸着部を回動可能に取り付けた脚部と、前記脚部にバネによって回動可能に取り付けた胴体部と、前記胴体部の側部に取り付けた腕部と、前記胴体部の上端に取り付けた頭部と、前記胴体部あるいは頭部に取り付けた床面を走行させるための走行手段とからなる走行起立玩具である。
【０００８】
請求項２に記載の考案は、前記腕部を胴体部の側部にバネによって回動可能に取り付け、前記頭部を胴体部の上端にバネによって回動可能に取り付け、前記走行手段を頭部に取り付けると共に、前記走行手段に動力機構を取り付けた走行起立玩具である。
【考案の効果】
【０００９】
請求項１記載の走行起立玩具は、一定距離を走行した後、磁力の作用で胴体部が脚部から起立し同時に変形するため、スピーディな動きと人間が立ち上がったようなリアルな形状の変化に意外性があり興趣に尽きない。
【００１０】
請求項２記載の走行起立玩具は、胴体部の起立と連動して腕部及び頭部が起伏作動するので、玩具の動きがさらにリアルになり面白さが増すと共に、走行手段に動力機構を取り付けたため走行速度が速くなりスピード感を持って遊ぶことができる等の効果を奏する。
【図面の簡単な説明】
【００１１】
【図１】本考案の実施形態１の分解斜視図
【図２】本考案の実施形態１の分解斜視図
【図３】本考案の実施形態１の走行状態の側面図
【図４】本考案の実施形態１の走行状態の斜視図
【図５】本考案の実施形態１の走行状態の一部省略斜視図
【図６】本考案の実施形態１の走行状態の一部省略側面図
【図７】本考案の実施形態１の吸着部の作動状態の説明図
【図８】本考案の実施形態１の起立動作の説明図
【図９】本考案の実施形態１の起立動作の説明図
【図１０】本考案の実施形態１の起立動作の説明図
【図１１】本考案の実施形態１の起立動作の説明図
【図１２】本考案の実施形態１の起立動作の説明図
【図１３】本考案の実施形態１の起立動作の説明図
【図１４】本考案の実施形態１の起立状態の正面図
【図１５】本考案の実施形態１の起立状態の斜視図
【考案を実施するための形態】
【００１２】
図に基づいて本考案の実施形態１を説明する。
図１、図２は走行起立玩具１の起立した状態の分解斜視図である。走行起立玩具１は人形の形態をしていて、脚部１０、吸着部２０、胴体部４０、腕部６０、頭部８０及び動力機構を備えた走行手段である車輪９０等からなる。
【００１３】
前記脚部１０は走行起立玩具１本体の下端を構成するもので、中央に空間部１８を有する靴を模した形状であり、脚部１０の前方（図１左方）と後方（図１右方）にそれぞれ軸受部１３、１４を穿設してあり、後述のように軸受部１３、１４には、それぞれ軸１５、１６を取り付けるのである。
【００１４】
前記空間部１８には吸着部２０が配置される。この吸着部２０は、内部に磁石２８を収納した円形の磁石ケース２１と、この磁石ケース２１の前方に突出した略直方体形状の押圧体２２と、後方に構成した軸受部２６からなる。
【００１５】
前記押圧体２２の先端に押圧面２４が構成されている。この押圧面２４は後述する作動部材５０の下部枠５５の表面と当接して、走行時に作動部材５０を頭部８０側に押圧するものであり、後方に向かって上昇する傾斜面２２ｂを形成しその頂点が最上部２２ａである。
押圧体２２の下部には、前記軸１５が挿通する凹部２５が構成されている。この凹部２５は、胴体部４０の起立時に押圧体２２が下方に回動したときに軸１５と接触して押圧体２２を安定させる働きをする。
【００１６】
前記磁石ケース２１の後方には、前記脚部１０に取り付けた軸１６が挿通する軸受部２６を構成する。この軸受部２６には、一端を脚部１０に固定し他端を前記磁石ケース２１に固定したバネ２９を巻装してある。前記バネ２９は吸着部２０を起伏させるものであり、吸着部２０を軸１６を中心に上方に回動するように付勢していて、走行状態では磁石２８と押圧体２２の前方は床面１００から離れている。
【００１７】
前記胴体部４０は前方胴体部４１と後方胴体部４５からなり、前記脚部１０に起伏可能に取り付けられていて、走行起立玩具１の走行時は床面１００に対して平行な状態であるが（図３参照）、起伏後は床面１００に対して直立した状態となる（図１１参照）。
【００１８】
この胴体部４０の両側に腕部６０が取り付けられ、このうち左腕６８は胴体部４０に固定されているが、右腕６１はバネ６９によって前方に回動可能に取り付けられている。
前記バネ６９の一端は右腕６１の軸６３に固定されていて、他端は胴体部４０に固定されている。また走行時には、右腕６１の付け根に構成した係止部６５が前頭部８１の内側に設けた係止部８５と係合しているため右腕６１の前方回動が規制されている（図４参照）。
【００１９】
前方胴体部４１の下部（図１下方）には２本の下部支持杆４２が構成され、この下部支持杆４２，４２の先端には軸受部４３が設けられ一方の下部支持杆４２の軸受部４３の周囲にはバネ４９が巻装されている。
このバネ４９は胴体部４０を脚部１０から起立作動させるもので、バネ４９の一端は軸受部４３に固定されていて、他端は脚部１０の内側に係止されている。
このバネ４９によって胴体部４０は回動して起立するように付勢されているが、前記吸着部２０の押圧面２４が作動部材５０の下部枠５５に当接して押圧しているため、胴体部４０の回動が規制されている。
【００２０】
一方、胴体部４０の後方胴体部４５の上端に設けた上部支持杆４７の上端両側に軸４６を水平に突設し、一方の軸４６にバネ８９を巻装してある。このバネ８９は頭部８０を前方に回動するように付勢しているもので、一端を上部支持杆４７に固定し他端を後頭部８２の内側に固定してある。
【００２１】
前記胴体部４０の内部に作動部材５０が収納されている。この作動部材５０は略長方形の枠体５１と、この枠体５１の上端に形成した棒状の係合杆５２からなり、組み立てた状態では作動部材５０の下部枠５５が前記吸着部２０の押圧面２４と当接している（図６参照）。
【００２２】
前記係合杆５２は先端部を後方（図１右方）に曲折して、その先端に後述の後頭部８２の係止部８４と係合する係合爪５３を構成している。
前記係合杆５２の下部の枠体５１への取り付け部分にはバネ５９が収納されている。このバネ５９は作動部材５０と前方胴体部４１の内側との間に張設された圧縮バネであり、作動部材５０を常時押圧体２２側へ付勢している。
【００２３】
前記頭部８０は前頭部８１と後頭部８２からなり、内部に車輪９０を収納していて前記胴体部４０の上端に起伏自在に取り付けられている。前述のように頭部８０は走行中は前方回動が規制されているが、起立した状態ではバネ８９の作用で胴体部４０に対して前方に傾斜するのである。
【００２４】
前記車輪９０を駆動する動力機構９１は本実施形態ではフリクション機構を用いているが、これに限定されず電動モーターやプルバック方式等の動力源を使用できる。さらには走行手段は動力機構を用いずに車輪のみとして手の力だけで走行させることもできる。
【００２５】
上記のように構成した実施形態１の作用を説明する。
図３は走行起立玩具の走行状態の側面図、図４は同斜視図、図５は同一部省略斜視図、図６は同一部省略側面図、図７（Ａ）（Ｂ）は磁石が鉄板に吸着する状態の説明図、図８乃至図１３は起立動作の説明図及び図１４、図１５は起立状態の図である。
【００２６】
あらかじめ手で動力機構９１に走行エネルギーを蓄えてから、図３のように脚部１０と車輪９０を床面１００に置くことで走行起立玩具１は床面１００を前進走行していく。
【００２７】
図６に示すように、走行状態では吸着部２０はバネ２９の作用で先端が上方に回動して床面１００から浮いた状態で、押圧面２４は作動部材５０の下部枠５５と接触し、バネ５９の弾発力に抗して下部枠５５を前方に押している。このとき係合杆５２の先端の係合爪５３と後頭部８２の係止部８４は係合状態を保っている。
【００２８】
走行起立玩具１が前進して脚部１０が床面１００に設けた鉄板２００の上に至ると、吸着部２０の磁石２８が鉄板２００に磁着して走行起立玩具１は停止する。この動作を図７に基づいて説明する。
【００２９】
図７において、走行状態から吸着部２０が鉄板２００の上に至ると磁石２８が鉄板２００に吸着するため、（Ａ）に示すように吸着部２０は軸１６を中心に下方に回動していく。これに伴い押圧面２４は下部枠５５に接しながら下降していき、押圧体２２の凹部２５が軸１５に嵌合して下降が停止すると同時に押圧面２４は下部枠５５から離れて（Ｂ）の状態となる。これによって軸受部４３に巻装したバネ４９の規制状態が解除されて、バネ４９の弾発力で胴体部４０が起立していく。
【００３０】
この起立動作を図８乃至図１３に基づいて説明する。
前述のようにバネ４９の規制が解除されるとバネ４９の弾発力で胴体部４０が起立していく（図８）が、この回動に伴い下部枠５５の表面は押圧体２２の傾斜した傾斜面２２ｂに接触しながら移動していく（図９）。
押圧体２２の傾斜面２２ｂは後方に向かって上昇しているから、下部枠５５は胴体部４０の起立と共に傾斜面２２ｂの傾斜に沿って上昇して、バネ５９の力に抗して前方（図９上方）に向かって押されていく。
そして、下部枠５５が押圧体２２の最上部２２ａに至り、図１０の状態となると、係合爪５３の上方移動によって係止部８４との係合状態が解除される。
【００３１】
そして、胴体部４０が直立した状態では、前記係合爪５３と係止部８４の係合状態が解除し、頭部８０はバネ８９の弾発力で前方に回動していき停止する（図１１乃至図１３）。
【００３２】
前記頭部８０の前方回動に伴い、右腕６１の付け根の係止部６５と前頭部８１の内側に設けた係止部８５との係合が解除するから、バネ６９の弾発力によって右腕６１が前方に回動する。その結果、走行起立玩具１は右腕６１を斜め上方に挙げた姿勢で直立するのである。
【００３３】
走行起立玩具１を起立状態から走行状態に戻す時は、胴体部４０を脚部１０に伏せた状態にし、次いで右腕６１を元に戻し最後に頭部８０を後方に戻すという順序で、それぞれのバネを戻して係止部同士を係合させる。
【００３４】
以上のように構成され作動する本実施形態によれば、伏せた状態で走行し、その後所定の位置で停止して起立するという意外な動きがあり、かつ起立すると同時に右腕を挙げ、首を前に傾けるという人間のような動作をするというリアルな動きが面白さを与えるのである。
【００３５】
また、走行起立玩具１を用いた遊び方としては、床面１００の一部に磁石２８が吸着するための鉄板２００を設けておき、その上に走行起立玩具１が走行してくると起立するのであるが、あらかじめ定められた標的の周囲に標的に到達するのを妨害するように鉄板２００を分散して配して標的に到達するのを競う等のゲームとしての遊び方がある。
【符号の説明】
【００３６】
１  走行起立玩具          １０  脚部  
２０  吸着部                ２２  押圧体
２８  磁石                  ２９  バネ
４０  胴体部                ４９  バネ
５０  作動部材              ５５  下部枠
６０  腕部                  ６１  右腕
６９  バネ                  ８０  頭部    
８９  バネ                  ９０  車輪（走行手段）  
９１  動力機構            １００  床面
２００  鉄板
【図１】
0003198977.tif 000003
【図２】
0003198977.tif 000004
【図３】
0003198977.tif 000005
【図４】
0003198977.tif 000006
【図５】
0003198977.tif 000007
【図６】
0003198977.tif 000008
【図７】
0003198977.tif 000009
【図８】
0003198977.tif 000010
【図９】
0003198977.tif 000011
【図１０】
0003198977.tif 000012
【図１１】
0003198977.tif 000013
【図１２】
0003198977.tif 000014
【図１３】
0003198977.tif 000015
【図１４】
0003198977.tif 000016
【図１５】
0003198977.tif 000017